(57)【要約】【課題】下げ振りの安定化に時間が掛からないばかりか支柱の一側面のみの測定で済み、作業能率が向上すると共に安価であって容易に入手して使用できる下げ振り及び測定保持具を提供する。【解決手段】吊り下げられる下げ振り３は、その外周面に少なくとも一個の鉛直面１７を成形すると共に該鉛直面１７に下げ紐２の延長線を引き、測定保持具４は、支柱Ｈの一側面ｈに当接され、前記下げ振り３が介入する枠部材２０を有し、この枠部材２０には、前記一側面ｈと平行をなす方向へ進退動して前記鉛直面１７に当接し得る第一停止杆２５と、一側面ｈに対し直角をなす方向へ進退動して前記鉛直面１７に当接し得る第二停止杆２７と、前記一側面ｈから下げ紐２までの距離が測定できる測定器３０を設けて構成される。【選択図】　図５
2004045337.tif 000002
【特許請求の範囲】
【請求項１】
下げ紐で吊り下げられる胴体部の外周面に少なくとも一個の鉛直面を成形し、前記鉛直面に前記下げ紐の延長線と投影して重なる鉛直線を引いたことを特徴とする下げ振り。
【請求項２】
角柱状をなす支柱の一側面下部に当接され、一側面上部であって該一側面から所定の間隔離れた位置に吊り下げられた下げ振りが自在に揺動するように介入し得る枠部材を有し、前記枠部材には、前記一側面と平行をなす面内で水平方向へ進退動して前記下げ振りの鉛直面に当接し得る第一停止杆と、前記一側面に対し直角をなす方向へ進退動して前記下げ振りの鉛直面に当接し得る第二停止杆と、前記一側面から前記鉛直線までの距離が測定できる計測器を設けたことを特徴とする測定保持具。
【請求項３】
前記枠部材に磁石を設け、鉄骨からなる支柱の一側面に磁着して固定できるようにした請求項２記載の測定保持具。
【発明の詳細な説明】
【０００１】
【発明の属する技術分野】
本発明は、住宅建築等の施工時に、立設される支柱の鉛直度を測定するために使用される下げ振り及びその測定保持具に関するものである。
【０００２】
【従来の技術】
一般に、住宅建築等の施工時に支柱を立設する場合、支柱の鉛直度を測定し、支柱を常に鉛直な状態で立設するようにしている。この鉛直度を測定するには、例えば、支柱の一側面上部に下げ紐が巻装される下げ振り固定具を取着し、この下げ振り固定具であって前記一側面上部から所定の間隔離した位置より下げ紐を下方へ引き出す。そして、その下げ紐の下端に円錐形の下げ振りを取着し、この下げ振りの揺れが収まったところで、前記支柱の一側面下部から下げ紐までの距離を測定し、この距離と前記一側面上部から下げ紐までの所定の距離とを比較して鉛直度を測る。同様にして、前記支柱の隣接する一側面で前記と同様な作業を行い、これら隣り合う二側面の鉛直度を測定するようにしている。
【０００３】
また、この他に、レーザー光線を使用して支柱の鉛直度を測定できるようにした装置がある。すなわち、支柱の一側面に沿って測定棒を平行に添設すると共に該測定棒の上端部にこの測定棒に沿ってレーザー光線を下方へ発射し得るレーザー発射装置が設けられる。測定棒の下端部には、支柱の設置面に接し、また、支柱側で軸支されかつ鉛直面内で回動し得る測定板が取着される。そして、前記レーザー光線が前記測定板の上面に設けられた中心印からどの程度ずれているかを認識することによって支柱の鉛直度を測定するようにしている。例えば、前記測定棒に対し測定板が直角になっているときは、前記レーザー光線が中心印に当たることになり、支柱が鉛直に立設されていることになる。
【０００４】
【発明が解決しようとする課題】
しかしながら、前者の方法では、下げ紐に吊り下げられた下げ振りの揺れが収まり安定化するまでには時間がかなり掛かり、特に屋外でしかも強風が吹いているときは非常に長く、このため、測定作業に多くの時間を費やさなくてはならず作業性が極めて悪い。仮に、揺れが収まる前に測定してしまうと、誤差が出てしまう。更に、支柱の二側面で同様な作業を行わねばならないことから、面倒な作業を強いられるという課題が有る。一方、後者の方法では、レーザー発射装置を使用してレーザー光線を当てて測定するので、屋外であっても風に悩まされず、しかも、誤差も少なく、測定作業が能率的に行なえるものの、前記レーザー発射装置は、非常に高価であって容易に入手して使用できないという課題が有る。
【０００５】
そこで、本発明は上記課題を解決すべくなされたもので、下げ振りの安定化に時間が掛からないばかりか支柱の一側面のみの測定で済み、作業能率が向上すると共に安価であって容易に入手して使用できる下げ振り及び測定保持具を提供することを目的とするものである。
【０００６】
【課題を解決するための手段】
かかる目的を達成するため、本発明に係る下げ振りは、下げ紐で吊り下げられる胴体部の外周面に少なくとも一個の鉛直面を成形し、前記鉛直面に前記下げ紐の延長線と投影して重なる延直線を引いた構成が採られる。
【０００７】
また、測定保持具は、角柱状をなす支柱の一側面下部に当接され、一側面上部であって該一側面から所定の間隔離れた位置に下げ紐によって吊り下げられた下げ振りが自在に揺動するように介入し得る枠部材を有し、前記枠部材には、前記一側面と平行をなす面内で水平方向へ進退動して前記下げ振りの鉛直面に当接し得る第一停止杆と、前記一側面に対し直角をなす方向へ進退動して前記下げ振りの鉛直面に当接し得る第二停止杆と、前記一側面から前記鉛直線までの距離が測定できる計測器を設けて構成される。
【０００８】
前記支柱が鉄骨である場合は、前記枠部材に磁石を設け、前記支柱の一側面に磁着して固定できるようにすることが好ましい。これにより、測定時の手間が省け一人でも作業が容易に行える。
【０００９】
そこで、例えば、支柱が鉄骨であって横断面形状が正方形をなす場合、その支柱の一側面上部に磁石の付いた紐固定具を磁着して固定し、この紐固定具に下げ紐上端を掛止すると共にその下端に下げ振りを取着して吊り下げる。一方、前記支柱の一側面下部に測定保持具を当接して水平に固定し、この測定保持具に前記下げ振りを揺動自在に介入させる。この状態で、まず、下げ振りの鉛直面を第一停止杆の先端と対向させ、この第一停止杆に対し直交する方向へ揺動する下げ振りの振幅が小さくなった状態で、この下げ振りを第一停止杆の先端で停止させる。そして、一側面から鉛直線の位置を測定する。
【００１０】
次に、前記下げ振りの鉛直面を第二停止杆の先端と対向させ、この第二停止杆に対し交差する方向へ揺動する下げ振りの振幅が小さくなった状態で、この下げ振りを第二停止杆の先端で停止させる。そして、一側面上部と下部とで支柱の一側端縁から下げ紐までの距離を側長具で測定する。このように、下げ振りの揺れが安定する前に該下げ振りを停止させて測定できる。また、一側面に紐固定具等と共に測定保持具を固定するのみで支柱の鉛直度が測定できる。
【００１１】
【発明の実施の形態】
以下、本発明に係る下げ振り及びその測定保持具の実施の形態を図面と共に説明する。通常、支柱には鉄骨と桧等の木材があるが、この場合、下げ振りを固定するための固定具が変わるのみで、他の部材は変わらないことから先の鉄骨、例えば、横断面形状が正方形の鉄骨、について説明する。本実施の形態では、支柱Ｈの鉛直度を測定するに、支柱Ｈの上部に固定する紐固定具１と、この紐固定具１から吊り下げられる下げ紐２と、この下げ紐２の下端に取着される下げ振り３と、この下げ振り３が介入する測定保持具４と、Ｌ型の側長具５と、が使用される。
【００１２】
図１は紐固定具１と下げ紐２と下げ振り３の斜視図である。紐固定具１は、金属製であって所定長さの杆体６の基端に後端面が開口する円筒状の短筒体７が一体に設けられており、この短筒体７の内部に円板状の磁石８が内装されている。なお、前記磁石８は前記後端面から後方へ食み出るようなことはない。一方、前記杆体６の先端外周面には、下げ紐２を掛止するための環状溝９が刻設されている。この環状溝９と前記短筒体７の後端面７ａとの間隔は、あらかじめ所定の寸法（例えば５ｃｍ）に設定されている。
【００１３】
前記紐固定具１は鉄骨製の支柱Ｈに使用する場合であって、桧等の木製の支柱Ｈに使用する場合は、図１の右側に示されるような紐固定具１ａが使用される。すなわち、この紐固定具１ａは金属製であって、軸杆１０の基端側の外周面に螺子溝１１が刻設されると共にその基端面１０ａ中央に、支柱Ｈの内面に打ち込まれる打込針１２が直角に突設されている。前記螺子溝１１には、外周面にローレット加工を施した外嵌体１３が螺合されており、その基端面１３ａが前記基端面１０ａと同一平面上で合致し得るようになっている。前記軸杆１０の先端側には、前記基端面から所定の距離（例えば５ｃｍ）離れた位置に、前記と同様に下げ紐２を掛止するための環状溝１４が周設されている。
【００１４】
なお、図示は省略するが、前記紐固定具１ａは、支柱上部であってその一側面に、基端面が当接するまで打込針１２を打込んで固定する。この際、外嵌体１３も回転させてその基端面１３ａを前記一側面に当接させる。このように、外嵌体１３の基端面１３ａを一側面に当接させることにより、紐固定具１ａの一側面に対する直角度の精度が増し、しかも、しっかり固定される。
【００１５】
下げ紐２は、引っ張ることにより簡単に真直ぐに伸びる紐であって、上端部に環状部１５が設けられ、下端部にＳの字状のフック１６が取着されている。下げ振り３は、真鍮製であって、胴体部３ａの横断面が角部を円弧状に成形した正方形状に成形される略直方体形状に成形される。また、外周の各外側面１７、すなわち各鉛直面１７、に前記下げ紐２の延長線と投影して重なる延直線１８が引かれている。下げ振り２の上部は、上方へ突出する円錐形に成形され、その中央上端部に横孔１９ａが貫設される。横孔１９ａには前記フック１６を掛止する円リング１９ｂが遊嵌されている。なお、前記下げ振り３における鉛直面１７は、一個で良いが、このように周囲４面、すなわち４個設けるようにすれば、測定時に下げ振り３を水平面内で回転させなくても済むから便利である。
【００１６】
次に、測定保持具４について説明する。測定保持具４は、図２に示すように一対の平行な縦板部２０ａと、その一端間に一体に設けられる直交状の横板部２０ｂと、により門状に成形される枠部材２０からなる。そして、前記各縦板部２０ａの他端に外側へ直角に折れ曲る当板部２１が設けられる。前記各当板部２１の外側面には紛体マグネットを混入したゴム板２２が貼着される。このように、ゴム板２２を貼着することからクッション性を有し、木製の支柱Ｈにも傷をつけずに使用でき、また粉体のマグネットを混入してなることから鉄骨の支柱Ｈでは、磁着力が働き、手で持っていなくても支柱Ｈの一側面ｈに固定されることになり、作業がし易い。前記両縦板部２０ａ間の間隔は、前記下げ振り３が介入して揺動し得る寸法に設定してある。
【００１７】
前記一方の縦板部２０ａに支持筒部２３が設けられると共にこの支持筒部２３に縦板部２０ａと直交する通孔２４が開設され、この通孔２４に第一停止杆２５が進退自在に挿通される。この第一停止杆２５の先端には、円板状の当接片２６が第一停止杆２５と直角に設けられている。３１は、第一停止杆２５の外周面に嵌着される抜止リングである。これにより、前記第一停止杆２５が、前記支柱Ｈの一側面ｈと平行な面上で自在に進退動することになる。同様に、横板部２０ｂにも支持筒部２３が設けられると共にこの支持筒部２３に横板部２０ｂと直交する通孔２４が開設され、この通孔２４に第二停止杆２７が進退自在に挿通される。また、この第二停止杆２７の先端にも、円板状の当接片２６が第二停止杆２７と直角に設けられている。この第二停止杆２７の外周面にも抜止リング３１が嵌着される。これにより、前記第二停止杆２７が、前記支柱Ｈの一側面ｈと直角をなす方向へ自在に進退動することになる。
【００１８】
更に、前記第一停止杆２５が設けられた側の縦板部２０ａの上下両面に計測器である物差し２８が設けられる。各物差し２８は、ゴム板２２の前面、すなわち支柱Ｈの一側面ｈから水平面内における距離が測定できるように取り付けられる。前記横板部２０ｂの上下部には枠部材２０の水平度を見る水準器２９が装着されている。ただ、この水準器２９は、必ず枠部材２０に一体に設ける必要はなく、別体に設けるようにし、必要なときに枠部材２０の上面に乗せて使用するようにしても良い。これにより、前記測定保持具４は表裏両面が使用できるようになる。
【００１９】
側長具５は、長尺杆５ａと短尺杆５ｂとを平面Ｌ型であって直交するように設けると共に短尺杆５ｂ側に目盛り３０が設けられている。
【００２０】
本発明に係る下げ振り及び測定保持具は上記構成からなり、次に、図４乃至図７に基づき使用方法について説明する。まず、図４に示すように鉄骨からなる支柱Ｈの一側面ｈの上部に紐固定具１を磁着させて固定させる。そして、上端の環状部１５を杆体６の環状溝９に掛止すると共に下端のフック１６を横孔１９に挿通して下げ振り３を吊り下げる。前記一側面ｈと環状溝９、すなわち下げ紐２までの距Ａは、予め設定（例えば５ｃｍ）されている。次に、図５に示すように支柱Ｈの一側面ｈの下部に、前記下げ振り３を介入させるようにして測定保持具４を固定させる。
【００２１】
この測定保持具４は、その磁着力によりしっかりと固定され容易に脱落するようなことはない。このように、一側面ｈに磁着されるので、測定保持具４をいちいち手で持っている必要がなく作業がし易い。また、水準器２９により枠部材２０を水平に保持しておく。
【００２２】
これにより、前記下げ振り３は枠部材２０内で揺動する。この状態で、まず、下げ振り３の外周面におけるいずれかの鉛直面１７を第一停止杆２５先端の当接片２６と対向させる。そして、図５に示すようにこの第一停止杆２５に対し交差する方向、すなわち一側面ｈに対して直角をなす方向、へ揺動する下げ振り３の振幅が小さくなった状態で、第一停止杆２５先端の当接片２６により下げ振り３を停止させる。この間、揺動している下げ振り３を数回停止させて減衰させる。そして、物差し２８により鉛直線１８の位置を測定する。その値を前記あらかじめ設定されている寸法（例えば５ｃｍ）と比較して支柱Ｈの一側面ｈと直角をなす方向での傾きを知ることができる。この際、揺動する下げ振り３を強制的に停止させても、測定する方向と直交する方向へ押すことになるから、停止させることによる測定誤差が殆どない。
【００２３】
次に、前記測定保持具４はそのままの状態にして、図６に示すように下げ振り３の鉛直面１７を第二停止杆２７の先端と対向させ、この第二停止杆２７に対し直交する方向、すなわち一側面ｈに対し平行をなす方向、へ揺動する下げ振り３の振幅が小さくなった状態で、第二停止杆２７先端の当接片２６により下げ振り３を停止させる。この間、揺動している下げ振り３を数回停止させて減衰させる。そして、図７に示すように側長具５の長尺杆５ａを一側面ｈの一側端縁に添わせると共に短尺杆５ｂの目盛り３０を張り出させ、一側面ｈの上部と下部とで、支柱Ｈの一側端縁ｈ１から下げ紐２までの距離を測定する。このようにして上下部の寸法を比較することにより、支柱Ｈの一側面ｈと平行な方向での傾きを知ることができる。この場合も、揺動する下げ振り３を強制的に停止させても、測定する方向と直交する方向へ押すことになるから、停止させることによる測定誤差が殆どない。
【００２４】
このように、支柱Ｈの一側面ｈに紐固定具１等と共に測定保持具４を固定するのみで支柱Ｈの鉛直度が測定できる。そして、その結果を認識して必要な分量支柱Ｈを傾斜させて鉛直に立設するようにする。
【００２５】
【発明の効果】
以上説明したように、本発明に係る下げ振り及び測定保持具にあっては、下げ振りがその胴体部の外周面に少なくとも一個の鉛直面を成形し、前記鉛直面に下げ紐の延長線と投影して重なる鉛直線を引いてなり、この揺動する下げ振りを誤差がほとんど出ないような位置で停止させて、前記支柱の一側面からの距離を測定するようにしたので、下げ振りの安定化に時間が掛からず簡単に測定でき、しかも、一側面に紐固定具等と共に測定保持具を固定するのみで支柱の鉛直度が測定できることとなり、これにより作業能率が格段に向上するという効果がある。
【００２６】
また、簡単な構成であることから、製作も容易であり製作コストを低廉になし得るという効果が有る。
【図面の簡単な説明】
【図１】紐固定具と下げ紐と下げ振りの斜視図。
【図２】測定保持具の斜視図。
【図３】側長具の斜視図。
【図４】支柱の一側面と直交する方向の傾きを測定する使用状態を示す側面図。
【図５】同要部の平面断面図。
【図６】支柱の一側面と平行をなす方向の傾きを測定する使用状態を示す平面断面図。
【図７】同要部の側面図。
【符号の説明】
２　　　　　　　　下げ紐
３　　　　　　　　下げ振り
１７　　　　　　　鉛直面
１８　　　　　　　鉛直線
２０　　　　　　　枠部材
２５　　　　　　　第一停止杆
２７　　　　　　　第二停止杆
３０　　　　　　　計測器（目盛り）
Ｈ　　　　　　　　支柱
ｈ　　　　　　　　一側面
ｈ１　　　　　　　一側端縁
【図１】
2004045337.tif 000003
【図２】
2004045337.tif 000004
【図３】
2004045337.tif 000005
【図４】
2004045337.tif 000006
【図５】
2004045337.tif 000007
【図６】
2004045337.tif 000008
【図７】
2004045337.tif 000009